(57)【特許請求の範囲】
【請求項１】
第１の編糸および第２の編糸を含んで編成した下半身用衣類であって、
前記第１の編糸で編んだ地組織に対してそれ自体で編目を編成しないインレイ糸として第２の編糸を挿入した第１の編み組織と、
前記第１の編み組織に連続して編成され、前記第１の編糸と前記第２の編糸とが入れ替わり、前記第２の編糸で編んだ地組織に対してそれ自体で編目を編成しないインレイ糸として第１の編糸を挿入した第２の編み組織とを含み、
前記第１の編糸および前記第２の編糸は、前記地組織の編目のループが並ぶ方向に対して折り返すことがない、下半身用衣類。
【請求項２】
前記第１の編糸および前記第２の編糸で編成しその他の編糸を含まないで編成した、請求項１に記載の下半身用衣類。
【請求項３】
前記インレイ糸は、前記地組織の編目のループに絡ませてかつ前記地組織の編目のつながり部に沿う方向と平行に編み込んでこれらループ間に挿入するタックインにより編成される、請求項１または請求項２に記載の下半身用衣類。
【請求項４】
前記第１の編糸と前記第２の編糸とでは染色性が異なる、請求項１〜請求項３のいずれかに記載の下半身用衣類。
【請求項５】
前記第１の編糸は、ナイロン６糸を含み、前記第２の編糸は、ナイロン６６糸を含む、請求項４に記載の下半身用衣類。
【請求項６】
前記下半身用衣類は、タイツ、ストッキングおよびパンティストッキングのいずれかである、請求項１〜請求項５のいずれかに記載の下半身用衣類。
【発明の詳細な説明】
【技術分野】
【０００１】
本発明は、タイツまたはパンティストッキングに代表される下半身用衣類（パンティストッキング型およびレッグ部のみのタイツまたはストッキング、ショートストッキング、靴下、フットカバー、スパッツ等）に関し、特に、細かい柄または／および模様（以下において模様を含めて柄と記載する場合がある）であっても編成でき、さらにその細かい柄を容易に強調することができ、しかもその細かい柄を編成した場合に従来のループ（ニット）とミスとで柄を編成した場合よりも表面が滑らかな、タイツに代表される下半身用衣類に関する。
【背景技術】
【０００２】
近年の生活習慣上、人が靴を履くときに足に装着する衣類としての靴下を多くの人々が使用している。そのような衣類の中で、特に、女性の下半身を覆うタイツおよびストッキングは、外出時における女性の脚部の保護および保温さらには脚線美の向上の観点等から、広く世間に浸透している。
現在市販されているほとんどのタイツおよびストッキングは、ナイロン糸、または、ナイロン糸とポリウレタン糸とで編まれている。使用している糸により、「交編」および「ゾッキ」の２種類に大別される。
【０００３】
交編（交編編み）は、ナイロン糸と、サポート糸（ポリウレタン糸にナイロン糸を巻き付けたカバリング糸）を交互に使用して編成する。ある程度のサポート（弾性）力および透明感の両方を求めるときに好適である。種類が異なる２種類の糸を使用するため（構造上どうしても）横縞模様が表れやすい。
ゾッキ（ゾッキ編み）は、一般的にはサポート糸（ポリウレタン糸にナイロン糸を巻き付けたカバリング糸）だけで編成されているものが多い。良好なフィット性を求めるときに好適である。また、いわゆる伝線（使用中に編み組織の一部に引掛傷ができ糸が切れると生成される編み組織が解編されたはしご状の線）が発生しにくいという特徴を備えたゾッキ編みのストッキングが、最近では増えてきている。
【０００４】
このようなタイツまたはストッキングに柄（模様）を編成する場合には、たとえば、特開２０１２−０７２５３７号公報（特許文献１）に開示されるように、ループ（ニット）とミスとを組み合わせて、４×４（４目単位）の模様を規則的なパターンとして表現する。下半身用衣類においては、このようにして、柄（模様）を編成することが一般的である。
【先行技術文献】
【特許文献】
【０００５】
【特許文献１】特開２０１２−０７２５３７号公報
【発明の概要】
【発明が解決しようとする課題】
【０００６】
しかしながら、特許文献１に開示された一般的な編成方法で柄（模様）を編成できるのは４目単位でしかなく、それ以上の細かい柄（模様）を編成することはできない。また、特許文献１に開示された一般的な編成方法で柄（模様）を編成するとループ（ニット）の部分で編目が編成されミスの部分で編目が編成されないので、ループ（ニット）の部分とミスの部分とでは編地表面の凹凸具合が異なり編地の表面が滑らかでなく好ましくない場合がある。
【０００７】
本発明は、従来技術の上述の問題点に鑑みて開発されたものであり、その目的とするところは、細かい柄であっても編成でき、さらにその細かい柄を容易に強調することができ、しかもその細かい柄を編成した場合に従来のループ（ニット）とミスとで柄を編成した場合よりも表面が滑らかな、タイツに代表される下半身用衣類を提供することである。
【課題を解決するための手段】
【０００８】
上記目的を達成するため、本発明に係る下半身用衣類は以下の技術的手段を講じている。
すなわち、本発明に係る下半身用衣類は、第１の編糸および第２の編糸を含んで編成した下半身用衣類であって、前記第１の編糸で編んだ地組織に対してそれ自体で編目を編成しないインレイ糸として第２の編糸を挿入した第１の編み組織と、前記第１の編み組織に連続して編成され、前記第１の編糸と前記第２の編糸とが入れ替わり、前記第２の編糸で編んだ地組織に対してそれ自体で編目を編成しないインレイ糸として第１の編糸を挿入した第２の編み組織とを含む。
【０００９】
好ましくは、前記インレイ糸は、前記地組織の編目のループに絡ませてかつ前記地組織の編目のつながり部に沿う方向と平行に編み込んでこれらループ間に挿入するタックインにより編成されるように構成することができる。
さらに好ましくは、前記第１の編糸と前記第２の編糸とでは染色性が異なるように構成することができる。
【００１０】
さらに好ましくは、前記第１の編糸は、ナイロン６糸を含み、前記第２の編糸は、ナイロン６６糸を含むように構成することができる。
さらに好ましくは、前記下半身用衣類は、タイツ、ストッキングおよびパンティストッキングのいずれかであるように構成することができる。
【発明の効果】
【００１１】
本発明によれば、細かい柄であっても編成でき、さらにその細かい柄を容易に強調することができ、しかもその細かい柄を編成した場合に従来のループ（ニット）とミスとで柄を編成した場合よりも表面が滑らかな、タイツに代表される下半身用衣類を提供することができる。
【図面の簡単な説明】
【００１２】
【図１】本発明の実施の形態に係るタイツの概略正面図である。
【図２】図１のタイツの柄の一例を示す図である。
【図３】図１のタイツの編み組織を示す図面代用写真である。
【図４】図３の白枠部分（外枠）のタイツの編み組織についての（Ａ）トレース図、（Ｂ）構成を模式的に示す図である。
【発明を実施するための形態】
【００１３】
以下、本発明の実施の形態として、下半身用衣類の一例であるタイツ１を、図面に基づき詳しく説明する。なお、本発明は、スカート等を履いても外部から見えるレッグ部２に好適に適用される。
［構成］
図１に、本実施の形態に係る高精密柄タイツ（以下において単にタイツ１と記載する）の概略正面図を示す。このタイツ１は、腹部および臀部を被覆するパンティ部３と、脚を被覆するレッグ部２とを備えるものである。このタイツ１は、筒状に編成された１対の編地を用い、パンティ部３に相当する部分に切れ目を入れて裁断縁どうしをつき合わせて股部４を縫着して一体化することにより製造される。また、足部の爪先部は周知の手段により、袋状に縫着することにより製造される。
【００１４】
なお、本発明において、対象をタイツ（特に、精密な柄を備えたタイツ）としているが、部分的にその機能を備えたスパッツ等を含むこと、および、タイツよりも一般的に薄手のストッキングを含むこと、その他の下半身用衣類を含むことは、技術分野で上述した通りである。
このタイツ１においては、レッグ部２の少なくとも一部には図２に示す柄が編成されている。この柄は、従来のループ（ニット）とミスと４目単位で柄を編成したものではなく、１目単位で編成された高精密な柄である。図２に示すように、第１の領域Ｂで黒い部分が編成され、第２の領域Ｗで白い部分が編成される。このような高精密な柄を編成するために、このタイツ１は、第１の編み組織により編成された第１の領域Ｂおよび第２の編み組織により編成された第２の領域Ｗが、ともに第１の編糸１０および第２の編糸２０を含んで編成されている。より詳しくは、図３〜図４に示すように、第１の編糸１０で編んだ地組織（図３〜図４に示すようにたとえばプレーン編の地組織）に対してそれ自体で編目を編成しないインレイ糸として第２の編糸２０を挿入した第１の編み組織により編成され
た第１の領域Ｂと、第１の領域Ｂに連続して編成され、第１の編糸１０と第２の編糸２０とが入れ替わり、第２の編糸２０で編んだ地組織（図３〜図４に示すようにたとえばプレーン編の地組織）に対してそれ自体で編目を編成しないインレイ糸として第１の編糸１０を挿入した第２の編み組織により編成された第２の領域Ｗとを含む。
【００１５】
これを編糸の入れ替わりに着目すると、第１の領域Ｂから連続して編成された第２の領域Ｗへ、図４に示す矢示Ｙ方向に沿った編糸の変化は、第１の編糸１０が、第１の領域Ｂにおいてプレーン編みのループを編成するループ糸から第２の領域Ｗにおいてインレイ糸となり、第２の編糸２０が、第１の領域Ｂにおいてインレイ糸から第２の領域Ｗにおいてプレーン編みのループを編成するループ糸となり、第１の領域Ｂと第２の領域Ｗとで、編糸が入れ替わることになる。なお、矢示Ｘ方向に沿った場合は上述した入れ替わりが逆になる。また、説明の都合のために矢示方向を限定したものであって、編み立て方向を限定するものではない。
【００１６】
このような特徴を備えたタイツ１において、インレイ糸については、詳しくは、以下のようにして編成される。図４に示すように、第１の領域Ｂにおけるインレイ糸である第２の編糸２０、および、第２の領域Ｗにおけるインレイ糸である第１の編糸１０は、地組織の編目のループに絡ませてかつ地組織の編目のつながり部に沿う方向と平行に編み込んでこれらループ間に挿入するタックイン（クロスインレイ）により編成される。
【００１７】
ここで、これらの第１の編糸１０と第２の編糸２０としては特に限定されるものではないが、タイツ１の伸縮性を発現させるために、シングルカバリング糸（ＳＣＹ：Ｓｉｎｇｌｅ  Ｃｏｖｅｒｅｄ  Ｙａｒｎ）のみのゾッキタイプで編成することが考えられる。特に、これらの第１の編糸１０と第２の編糸２０とで、染色性が異なる素材を適宜選択すると図２に示す柄が強調される。さらに詳しくは、図２の黒い部分を形成する第１の領域Ｂにおいてループを編成する第１の編糸１０に染色性が（後述するナイロン６６糸よりも）良好なナイロン６糸を含む糸（たとえば捲糸がナイロン６糸のＳＣＹ）を採用し、図２の白い部分を形成する第２の領域Ｗにおいてループを編成する第２の編糸２０に染色性が（上述したナイロン６糸よりも）良好でないナイロン６６糸を含む糸（たとえば捲糸がナイロン６６糸のＳＣＹ）を採用する。そして、たとえば、黒い染料で編地を染色することにより、第１の編糸１０に採用されたナイロン６糸がより黒く染色され、第２の編糸２０に採用されたナイロン６６糸があまり染色されないので、白黒の色彩で構成される柄を容易に、より強調させることができる。ここで、ＳＣＹに代えてダブルカバリング糸（ＤＣＹ：Ｄｏｕｂｌｅ  Ｃｏｖｅｒｅｄ  Ｙａｒｎ）、ウーリーナイロン糸であっても構わない。
【００１８】
なお、このように染色性に差異のある編糸の組合せを選択しなくても、上述したように編地を編成することにより、柄（自体）は編成することができ、染色性に差異のある編糸の組合せを選択するとその柄が強調される。
［製造方法］
以下において、本実施の形態に係るタイツ１の製造方法を、編糸を具体的に示して説明する。なお、図４は模式的に編地を表したものであって図示された第１の編糸１０および第２の編糸２０の太さ等は、実際のもの（一例として挙げる以下の糸構成）とは異なる場合がある。
【００１９】
・第１の編糸１０（第１の領域Ｂでループ糸、第２の領域Ｗでインレイ糸）
ウレタン系弾性糸の芯糸にナイロン６糸の捲糸を巻着させたＳＣＹ
芯糸：ポリウレタン弾性糸（２２デシテックス）
捲糸：ナイロン６糸（４４デシテックス／３６フィラメント）
・第２の編糸２０（第１の領域Ｂでインレイ糸、第２の領域Ｗでループ糸）
ウレタン系弾性糸の芯糸にナイロン６６糸の捲糸を巻着させたＳＣＹ
芯糸：ポリウレタン弾性糸（２２デシテックス）
捲糸：ナイロン６６糸（４４デシテックス／３４フィラメント）
このような編糸を採用して編み上げた筒状に編成された１対の編地のパンティ部３に相当する部分に切れ目を入れて裁断縁どうしをつき合わせて股部４を縫着して一体化するこ
とにより製造されたタイツ１を染色して、図２に示す柄が形成された図１に示すタイツ１が得られた。
［作用効果］
本実施の形態に係るタイツ１（高精密柄タイツ１）の作用効果について以下に説明する。
【００２０】
（Ａ）このタイツ１においては、第１の編糸１０が、第１の領域Ｂにおいてプレーン編みのループを編成するループ糸から第２の領域Ｗにおいてインレイ糸となり、第２の編糸２０が、第１の領域Ｂにおいてインレイ糸から第２の領域Ｗにおいてプレーン編みのループを編成するループ糸となり、第１の領域Ｂと第２の領域Ｗとで、編糸が入れ替わることになる。このため、第１の領域Ｂにおいては、ループを編成する第１の編糸１０により柄が形成され（第２の編糸２０はインレイ糸）、第２の領域Ｗにおいては、ループを編成する第２の編糸２０により柄が形成され（第１の編糸１０はインレイ糸）、一目単位の高精密な柄を編成することができる。
【００２１】
（Ｂ）第１の編糸１０と第２の編糸２０とで染色性に差異のある編糸の組合せを選択すると、高精密な柄を容易に強調することができる。
（Ｃ）上述したように、インレイ糸とループ糸とを、入れ替えて第１の領域Ｂおよび第２の領域Ｗを連続して編成して１目単位の高精密な柄を編成するので、従来のループ（ニット）とミスとで柄を編成した場合よりも表面が滑らかな、タイツを実現することができる。特に、表面が滑らかであるのでゴワゴワ感がなく、表面が滑らかであるにも関わらずしゃりしゃり感が過度でなく、長繊維で編成しているにも関わらず、短繊維（たとえば綿糸）で編成したような、タイツに好ましい質感（脚部の保護および保温さらには脚線美の向上の観点等で好ましい質感）を発現することができる。なお、高精密な細かい柄を編成した部分については、フェルトのような生地感を発現させることができる。
【００２２】
以上のようにして、本実施の形態に係るタイツによると、細かい柄であっても編成でき、さらにその細かい柄を容易に強調することができ、しかもその細かい柄を編成した場合に従来のループ（ニット）とミスとで柄を編成した場合よりも表面が滑らかなタイツを実現することができる。
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００２３】
本発明は、下半身用衣類に好適であり、細かい柄であっても編成でき、さらにその細かい柄を容易に強調することができ、しかもその細かい柄を編成した場合に従来のループ（ニット）とミスとで柄を編成した場合よりも表面が滑らかなタイツ等の下半身用衣類に特に好適である。
【符号の説明】
【００２４】
１  タイツ
２  レッグ部
３  パンティ部
４  股部
Ｗ  第１の領域（第１の編み組織）
Ｂ  第２の領域（第２の編み組織）
１０  第１の編糸
２０  第２の編糸
【図１】
0006701491.tif 000002
【図２】
0006701491.tif 000003
【図３】
0006701491.tif 000004
【図４】
0006701491.tif 000005